(57)【要約】【課題】  バーナ部の炎口部分及び五徳部を容易に昇降させられ、平坦なコンロ天面を確実に得られて使い勝手に優れると共に、五徳部で加熱対象物の重量を確実に支持して安全性も確保でき、また昇降機構のスペースを必要最小限にでき、導入も容易なガスコンロを提供する。【解決手段】  バーナ部３０の炎口部分３２と五徳部５０を一体に昇降可能とし、非使用時にはいずれもコンロ天面１１より下側に位置させる一方、使用時には天面１１上側まで上昇させた五徳部５０の支持片をさらに周囲に拡張させて加熱対象物を載置可能とし、コンロ天面１１に設ける開口孔１２を一つで済ませられることにより、非使用時のコンロ天面１１の美観を優れたものにでき、清掃も行いやすいと共に、非使用時に五徳を別途取外す必要はなく、五徳部５０をバーナ部３０と一体に取扱うことができ、使い勝手が非常に優れる。【選択図】  図５
2007263378.tif 000002
【特許請求の範囲】
【請求項１】
少なくとも非使用時に、バーナ部及び／又は五徳部をコンロ天面に対し相対移動させてコンロ天面上に突出物のない状態にすることができるガスコンロにおいて、
前記バーナ部の炎口部分が、コンロ天面に穿設された所定の一開口孔の範囲内で、コンロ天面より下側にある非使用状態位置と、当該非使用状態位置より上側で且つコンロ天面上の加熱対象を加熱可能な使用状態位置との間で昇降可能に配設され、
前記五徳部が、加熱対象物支持用の爪とされる複数の略棒状の支持片と、前記開口孔の範囲内に位置して前記各支持片を支持する五徳基部とを少なくとも有し、前記バーナ部の炎口部分近傍に当該炎口部分と一体に昇降可能で且つ炎口部分が前記非使用状態位置にある際にはコンロ天面より下側に位置する配置として配設され、
前記各支持片が、前記開口孔の範囲内に全体を集合させた収容状態と、支持片一端部を開口孔の範囲内に残しつつ支持片他端部を少なくとも前記開口孔より外側に到達させて前記加熱対象物を載置可能な拡張状態との間で移動可能とされ、且つ、前記バーナ部の炎口部分が前記使用状態位置にある際にはコンロ天面より上側に位置する配置とされてなり、
少なくとも前記バーナ部の炎口部分が非使用状態位置にある場合に前記開口孔を全て塞ぐ開口孔閉止位置と、開口孔を完全に開放した開口孔開放位置との間で移動可能とされる略板状の蓋体が配設され、当該蓋体が開口孔を全て塞いだ状態でコンロ天面が蓋体上面を含めて略平坦となることを
特徴とするガスコンロ。
【請求項２】
前記請求項１に記載のガスコンロにおいて、
前記五徳部の五徳基部が、前記バーナ部の炎口部分と中心を一致させて配置される略円板状部分を少なくとも有し、前記各支持片一端部を前記中心から所定径離れた円上で等間隔をなす前記略円板状部分の複数箇所にそれぞれ揺動自在に取付けられてなり、
前記五徳部の一部として、略円板状体の外周に起立する側壁部分を設けた形状とされて前記五徳基部に対し中心を一致させて相対回転可能に配設され、前記側壁部分に前記支持片をそれぞれ通す複数の間隙部を等ピッチで配置され、五徳基部及び各支持片一端部を覆う五徳カバーを備え、
前記各支持片が、五徳基部に対し五徳カバーを相対回転させると、五徳カバーの各間隙部の五徳基部に対する相対位置変化に伴って、前記各間隙部をそれぞれ通る各支持片が揺動中心周りの回転力を与えられて揺動し、前記収容状態と拡張状態とに切替え可能とされることを
特徴とするガスコンロ。
【請求項３】
前記請求項２に記載のガスコンロにおいて、
所定の駆動手段から駆動力を入力されて動作し、前記バーナ部に駆動力を伝達せずバーナ部の炎口部分及び前記五徳部をほぼ静止状態に維持する状態、及びバーナ部に駆動力を伝達してバーナ部の炎口部分及び五徳部を昇降させる状態の二つの動作過程を少なくとも有するバーナ部昇降機構と、
当該バーナ部昇降機構と連結されて駆動力を受取り可能とされ、バーナ部昇降機構がバーナ部に駆動力を伝達していない状態でバーナ部昇降機構から駆動力を伝達されて動作し、蓋体をコンロ天面の下側に沿って移動させて開口孔を開閉する一方、バーナ部昇降機構がバーナ部に駆動力を伝達する状態ではバーナ部昇降機構から駆動力を伝達されない略停止状態となって蓋体を動かさない蓋体操作機構とを備え、
当該蓋体操作機構が、前記バーナ部昇降機構のバーナ部に駆動力を伝達していない状態とバーナ部に駆動力を伝達する状態とが切り替る際に、前記蓋体を前記開口孔開放位置に位置させていることを
特徴とするガスコンロ。
【請求項４】
前記請求項３に記載のガスコンロにおいて、
前記バーナ部が、炎口部分と反対側の端部を中心として上下に揺動可能に配設され、
前記バーナ部昇降機構が、前記駆動手段からの駆動力入力を受けてバーナ部位置を含む所定範囲を移動可能な所定の傾斜した案内面を備えてなり、当該案内面の移動で案内面とバーナ部下面側との当接位置関係を変化させてバーナ部を上下に揺動させ、バーナ部の炎口部分及び五徳部を昇降させる一方、案内面の移動行程に、案内面がバーナ部に対し近付く又は遠ざかる位置関係にあり、バーナ部と離れていてバーナ部に駆動力を伝達しない期間が含まれることを
特徴とするガスコンロ。
【請求項５】
前記請求項４に記載のガスコンロにおいて、
前記五徳部が、前記五徳基部又は五徳カバーと連動して一体に回転可能とされて前記バーナ部下部に配設される一のギヤを備え、
前記バーナ部昇降機構が、前記案内面近傍に配設されて少なくとも前記バーナ部の炎口部分が前記使用状態位置にある状態での前記一のギヤと噛合い可能とされる他のギヤと、前記案内面に連なる略水平の保持面とを備えてなり、
前記バーナ部の炎口部分及び五徳部が使用状態位置に到達している状態で、前記バーナ部昇降機構を動作させ、前記案内面に代えて前記保持面をバーナ部の一部に当接させて前記バーナ部の炎口部分及び五徳部の高さを維持する一方、前記他のギヤを前記一のギヤと噛合わせた状態として移動させ、一のギヤを回転させて五徳基部に対し五徳カバーが相対回転する状態を与えることを
特徴とするガスコンロ。
【請求項６】
前記請求項２ないし５のいずれかに記載のガスコンロにおいて、
前記五徳基部が、前記バーナ部の炎口部分に対し所定の付勢手段で上方に付勢されつつ所定範囲上下動可能に取付けられ、
前記バーナ部の炎口部分が前記使用状態位置にある中で、前記各支持片が、前記収容状態と前記拡張状態との間で揺動する状態では、前記コンロ天面から一定間隔を空けて離れた高さ位置に保持される一方、前記拡張状態で且つ前記付勢手段の付勢力を上回る荷重となる加熱対象物を支持片上側に載せて当接させた状態では、少なくとも五徳基部と共に押下げられて各支持片下部がコンロ天面上に当接する高さまで下降可能とされることを
特徴とするガスコンロ。
【発明の詳細な説明】
【技術分野】
【０００１】
本発明は、加熱調理に用いられるガスコンロに関し、特に、非使用時にバーナ部及び五徳部がコンロ天面から隠れてコンロ天面が平面状となり、美観及び清掃性等の使い勝手に優れるガスコンロに関する。
【背景技術】
【０００２】
電磁誘導加熱タイプやハロゲンヒータタイプ等のフラットトップコンロにおける特長である、天面の平坦性による優れた美観や煮こぼれを拭取りやすいなど使い勝手の良さは、ガスコンロに飽き足りない人々を惹き付け、こうしたコンロが近年多くのユーザを獲得するに至っており、これに対抗するものとして、ガスコンロでも天面を平坦化しようとする動きが現れてきている。
【０００３】
ガスコンロの場合、天面から突出した五徳等で加熱対象物を支えつつ下側のバーナからの火炎を加熱対象物に当てる一般的な形態で最も効率よく加熱可能であることから、加熱使用状態では一般的なガスコンロ同様、五徳やバーナ等の天面から突出した部分を有する一方、非加熱時にはこれらの突出部分を移動させて天面を平坦化し、フラットトップコンロと同等の美観と使い勝手に優れた特長を得られるタイプが主流になると見られており、このようなガスコンロが近年複数提案されている。
【０００４】
こうした従来のガスコンロの一例として、コンロ天面の加熱用開口を開閉可能としたものが、特開２００２−２１３７４９号公報に記載されている。この従来のガスコンロは、天板と、この天板に設けられた加熱口と、加熱口を閉鎖可能に形成されると共に上下移動可能とされる蓋部材と、燃料ガスを燃焼させ前記加熱口から上方に燃焼ガスを排出して被加熱物を加熱するバーナとを備える構成であり、前記蓋部材が加熱口に対し上方に離間して加熱口を開口させる一方、被加熱物を載せるための五徳として機能する仕組みである。そして、非使用時には蓋部材で開口孔を塞いで、平坦なコンロ天面が得られるものとなっている。
【０００５】
また、この従来のガスコンロにおける別の実施形態として、蓋部材が下降することで加熱口を開口するようにすると共に、加熱口の外方に放射状に配置される四つの五徳が、天板から上方に突出する姿勢と天板側に引込まれる姿勢とを切換可能とされ、使用時には五徳を突出させて被加熱物を支えるようにし、非使用状態では平坦なコンロ天面が得られるようにした構成も示されている。
【０００６】
さらに、従来の他のガスコンロとして、特開２００３−２６９７２６号公報に示されるものがある。この従来の他のガスコンロは、燃焼部分が天板に形成されたバーナ用開口部を通して露出するように設けられたバーナと、バーナ用開口部を閉じる開口部閉じ体と、バーナと開口部閉じ体とを一体回転させるバーナ回転手段とを備える構成であり、バーナ回転手段でバーナと開口部閉じ体とを一体回転させて、バーナの燃焼部分がバーナ用開口部を通して露出する使用状態と、バーナが天板下方に収納され且つ開口部閉じ体にてバーナ用開口部を閉じる非使用状態とに切り換える仕組みである。
【特許文献１】特開２００２−２１３７４９号公報
【特許文献２】特開２００３−２６９７２６号公報
【発明の開示】
【発明が解決しようとする課題】
【０００７】
従来のガスコンロは以上のように構成されており、前記特許文献１に示されている従来前者においては、蓋部材が五徳を兼ねており、天板上の孔は一バーナあたり一つで済むものの、使用状態でバーナ上側に常に蓋部材が存在するため、バーナによる加熱の際に蓋部材が障害となって加熱効率が劣ることとなり、また、加熱を有効に行えるようにするには五徳の役割を果す蓋部材の面積は必要最小限にせざるを得ず、大きな被加熱物を適切に支持させることは難しいという課題を有していた。さらに、別実施形態の蓋部材とは異なる五徳を動かす例の場合、天板には加熱口以外に、五徳用の複数の孔が設けられることから、美観や煮こぼれに対する耐性、清掃性に問題が生じる他、天板の加工が複雑となってコストがかかるという課題を有していた。加えて、天板面に対する五徳のスムーズな出没を可能とする一方で、使用時には五徳の突出状態を維持して被加熱物の重量を確実に支えられる機構とするのは極めて難しいという課題を有していた。
【０００８】
一方、前記特許文献２に示されている従来後者については、バーナと開口部閉じ体の位置関係を回転により切り変えても、あくまで五徳を取外さないと完全な平坦面は得られず、清掃時には結局五徳を取外す手間がかかってしまうなど、平坦面を得る手法として中途半端な印象は否めないという課題を有していた。
【０００９】
この他、前記各特許文献に示される従来のいずれの例においても、一般的なガステーブル型のガスコンロでコンロ中央に配置される魚焼用のグリルとの関係が問題となる。すなわち、五徳を上下動させる場合、バーナの周囲に五徳を昇降させる機構を設ける必要があり、また、バーナを回転させる機構の場合、バーナの周囲に回転に必要なスペースを空けておく必要があるなど、いずれもコンロ中央にグリルを配置するためのスペースが確保できなくなってしまい、こうした機構では従来のガステーブルと同様のレイアウトにはできないという課題を有していた。
【００１０】
本発明は前記課題を解決するためになされたもので、バーナ部の炎口部分及び五徳部を容易に昇降させられ、平坦なコンロ天面を確実に得られて使い勝手に優れると共に、五徳部で加熱対象物の重量を確実に支持して安全性も確保でき、また昇降機構のスペースを必要最小限にでき、導入も容易なガスコンロを提供することを目的とする。
【課題を解決するための手段】
【００１１】
本発明に係るガスコンロは、少なくとも非使用時に、バーナ部及び／又は五徳部をコンロ天面に対し相対移動させてコンロ天面上に突出物のない状態にすることができるガスコンロにおいて、前記バーナ部の炎口部分が、コンロ天面に穿設された所定の一開口孔の範囲内で、コンロ天面より下側にある非使用状態位置と、当該非使用状態位置より上側で且つコンロ天面上の加熱対象を加熱可能な使用状態位置との間で昇降可能に配設され、前記五徳部が、加熱対象物支持用の爪とされる複数の略棒状の支持片と、前記開口孔の範囲内に位置して前記各支持片を支持する五徳基部とを少なくとも有し、前記バーナ部の炎口部分近傍に当該炎口部分と一体に昇降可能で且つ炎口部分が前記非使用状態位置にある際にはコンロ天面より下側に位置する配置として配設され、前記各支持片が、前記開口孔の範囲内に全体を集合させた収容状態と、支持片一端部を開口孔の範囲内に残しつつ支持片他端部を少なくとも前記開口孔より外側に到達させて前記加熱対象物を載置可能な拡張状態との間で移動可能とされ、且つ、前記バーナ部の炎口部分が前記使用状態位置にある際にはコンロ天面より上側に位置する配置とされてなり、少なくとも前記バーナ部の炎口部分が非使用状態位置にある場合に前記開口孔を全て塞ぐ開口孔閉止位置と、開口孔を完全に開放した開口孔開放位置との間で移動可能とされる略板状の蓋体が配設され、当該蓋体が開口孔を全て塞いだ状態でコンロ天面が蓋体上面を含めて略平坦となるものである。
【００１２】
このように本発明においては、バーナ部の炎口部分と五徳部を一体に昇降可能とし、非使用時にはいずれもコンロ天面より下側に位置させる一方、使用時にはコンロ天面上側まで上昇させた五徳部の支持片が周囲に拡張状態となって加熱対象物を載置可能となり、バーナ部の炎口部分と五徳部を共に昇降させつつコンロ天面に設ける開口孔を一つで済ませられることにより、非使用時のコンロ天面の美観を優れたものにでき、清掃も行いやすいと共に、非使用時に五徳を別途取外す必要はなく、昇降動作なども五徳部をバーナ部と一体に取扱うことができ、使い勝手が非常に優れる。また、五徳部の支持片で加熱対象物を支える際に支持片の動作方向と荷重の加わる向きが異なり、支持片の拡張・収容機構に無理な力が加わらず、簡略且つ軽量で耐久性に優れる機構とすることができる上、加熱対象物の重量が大きくても支持片がコンロ天面に当接してそのまま加熱対象物を支持し続けることができ、安全性も高い。さらに、各機構をコンパクトに形成してバーナ部横にグリルのスペースを問題なく確保でき、従来のガステーブル型のレイアウトとすることもでき、ガスコンロ製品としての加熱方法のバリエーションを維持できる。
【００１３】
また、本発明に係るガスコンロは必要に応じて、前記五徳部の五徳基部が、前記バーナ部と中心を一致させて配置される略円板状部分を少なくとも有し、前記各支持片一端部を前記中心から所定径離れた円上で等間隔をなす前記略円板状部分の複数箇所にそれぞれ揺動自在に取付けられてなり、前記五徳部の一部として、略円板状体の外周に起立する側壁部分を設けた形状とされて前記五徳基部に対し中心を一致させて相対回転可能に配設され、前記側壁部分に前記支持片をそれぞれ通す複数の間隙部を等ピッチで配置され、五徳基部及び各支持片一端部を覆う五徳カバーを備え、前記各支持片が、五徳基部に対し五徳カバーを相対回転させると、五徳カバーの各間隙部の五徳基部に対する相対位置変化に伴って、前記各間隙部をそれぞれ通る各支持片が揺動中心周りの回転力を与えられて揺動し、前記収容状態と拡張状態とに切替え可能とされるものである。
【００１４】
このように本発明においては、五徳基部に各支持片を揺動自在に取付けると共に、各支持片を拘束しつつ五徳基部に対し相対回転可能な五徳カバーを配設し、五徳カバーを五徳基部に対し相対回転させて各支持片を揺動させ、支持片の収容状態と拡張状態とを切替えることにより、単純に五徳基部又は五徳カバーに回転駆動力を加えるのみで五徳部の各支持片の収容、拡張操作が行え、簡略な機構とすることができ、コストダウンが図れると共に信頼性、耐久性を向上させられる。
【００１５】
また、本発明に係るガスコンロは必要に応じて、所定の駆動手段から駆動力を入力されて動作し、前記バーナ部に駆動力を伝達せずバーナ部の炎口部分及び前記五徳部をほぼ静止状態に維持する状態、及びバーナ部に駆動力を伝達してバーナ部の炎口部分及び五徳部を昇降させる状態の二つの動作過程を少なくとも有するバーナ部昇降機構と、当該バーナ部昇降機構と連結されて駆動力を受取り可能とされ、バーナ部昇降機構がバーナ部に駆動力を伝達していない状態でバーナ部昇降機構から駆動力を伝達されて動作し、蓋体をコンロ天面の下側に沿って移動させて開口孔を開閉する一方、バーナ部昇降機構がバーナ部に駆動力を伝達する状態ではバーナ部昇降機構から駆動力を伝達されない略停止状態となって蓋体を動かさない蓋体操作機構とを備え、当該蓋体操作機構が、前記バーナ部昇降機構のバーナ部に駆動力を伝達していない状態とバーナ部に駆動力を伝達する状態とが切り替る際に、前記蓋体を前記開口孔開放位置に位置させているものである。
【００１６】
このように本発明においては、バーナ部炎口部分及び五徳部を静止状態又は昇降動作状態とするバーナ部昇降機構が配設されると共に、このバーナ部昇降機構と連結されて蓋体を開閉動作させる蓋体操作機構を備え、バーナ部昇降機構がバーナ部を動かさない場合にのみ、蓋体操作機構がバーナ部昇降機構と連動して蓋体を開閉させることにより、一つの駆動手段で蓋体の開閉動作と炎口部分及び五徳部の昇降動作を実行でき、複数の駆動手段を用いずに済み、信頼性を高められ、低コスト化も図れる。さらに、炎口部分及び五徳部、又は蓋体のいずれか一方を動作させている間、他方はほぼ静止状態とすることで、駆動手段に加わる負荷を抑えることができ、駆動手段から入力する駆動力を小さくしても各機構をスムーズに動かせる。
【００１７】
また、本発明に係るガスコンロは必要に応じて、前記バーナ部が、炎口部分と反対側の端部を中心として上下に揺動可能に配設され、前記バーナ部昇降機構が、前記駆動手段からの駆動力入力を受けてバーナ部位置を含む所定範囲を移動可能な所定の傾斜した案内面を備えてなり、当該案内面の移動で案内面とバーナ部下面側との当接位置関係を変化させてバーナ部を上下に揺動させ、バーナ部の炎口部分及び五徳部を昇降させる一方、案内面の移動行程に、案内面がバーナ部に対し近付く又は遠ざかる位置関係にあり、バーナ部と離れていてバーナ部に駆動力を伝達しない期間が含まれるものである。
【００１８】
このように本発明においては、バーナ部昇降機構の一部として案内面を配設し、この案内面とバーナ部の下面側との当接位置関係を変化させてバーナ部の炎口部分及び五徳部を昇降動作させることにより、炎口部分及び五徳部の昇降用機構部分を簡略なものとすることができ、大幅にコストダウンが図れると共に、バーナ部昇降機構がバーナ部に駆動力を伝達しない状態を、案内面のバーナ部に当接していない期間として容易に設定でき、駆動手段の種類に合わせて蓋体の開閉動作のタイミングを適切に与えられ、蓋体の開閉から炎口部分及び五徳部の昇降に至る動作やその逆の動作をそれぞれスムーズに連続させて実行させられる。
【００１９】
また、本発明に係るガスコンロは必要に応じて、前記五徳部が、前記五徳基部又は五徳カバーと連動して一体に回転可能とされて前記バーナ部下部に配設される一のギヤを備え、前記バーナ部昇降機構が、前記案内面近傍に配設されて少なくとも前記バーナ部の炎口部分が前記使用状態位置にある状態での前記一のギヤと噛合い可能とされる他のギヤと、前記案内面に連なる略水平の保持面とを備えてなり、前記バーナ部の炎口部分及び五徳部が使用状態位置に到達している状態で、前記バーナ部昇降機構を動作させ、前記案内面の代わりに前記保持面をバーナ部の一部に当接させて前記バーナ部の炎口部分及び五徳部の高さを維持する一方、前記他のギヤを前記一のギヤと噛合わせた状態として移動させ、一のギヤを回転させて五徳基部に対し五徳カバーが相対回転する状態を与えるものである。
【００２０】
このように本発明においては、五徳基部又は五徳カバーと連動して一体に回転可能な一のギヤが配設されると共に、使用状態位置に達したこの一のギヤと噛合って駆動力を伝達する他のギヤがバーナ部昇降機構の一部として配設され、五徳基部に対し五徳カバーを相対回転させる動作が、他のギヤで一のギヤを回転させることで得られ、バーナ部昇降機構を用いて五徳部の各支持片の拡張、収容動作も実行させられることにより、バーナ部の炎口部分及び五徳部の昇降動作用と五徳部の支持片動作用とにそれぞれ別の駆動手段を用いずに済み、簡略な構造としてコストダウンが図れると共に、蓋体の開閉から炎口部分及び五徳部の昇降、支持片の拡張、収容までバーナ部昇降機構に対し駆動力を与えることで実現し、操作も容易となり、使い勝手が向上する。
【００２１】
また、本発明に係るガスコンロは必要に応じて、前記五徳基部が、前記バーナ部の炎口部分に対し所定の付勢手段で上方に付勢されつつ所定範囲上下動可能に取付けられ、前記バーナ部の炎口部分が前記使用状態位置にある中で、前記各支持片が、前記収容状態と前記拡張状態との間で揺動する状態では、前記コンロ天面から一定間隔を空けて離れた高さ位置に保持される一方、前記拡張状態で且つ前記付勢手段の付勢力を上回る荷重となる加熱対象物を支持片上側に載せて当接させた状態では、少なくとも五徳基部と共に押下げられて各支持片下部がコンロ天面上に当接する高さまで下降可能とされるものである。
【００２２】
このように本発明においては、五徳基部及び支持片が上方付勢状態で上下動可能に支持され、支持片の拡張、収容動作時は支持片をコンロ天面から上側に離れた位置として天面と接触させない一方、拡張した支持片上に加熱対象物を載置した場合には支持片下部がコンロ天面に当接するまで下降可能とし、支持片が天面上に支持された状態を得ることにより、各支持片を拡張、収容する際には各支持片を天面との接触等なくスムーズに動かせると共に、加熱対象物を五徳部に載せた場合には、加熱対象物を直接支える各支持片がコンロ天面上に載って下側から支えられた状態を維持し、支持片上の加熱対象物の重量が大きい場合でも、支持片が下方へ動くことなく静止状態を保って加熱対象物を支えられることとなり、加熱対象物の安全性を十分確保できる。
【発明を実施するための最良の形態】
【００２３】
以下、本発明の一実施の形態に係るガスコンロを図１ないし図１０に基づいて説明する。本実施の形態においては、一般的な外炎式のブンゼンバーナ形ガスコンロの例について説明する。図１は本実施の形態に係るガスコンロの要部平面図、図２は本実施の形態に係るガスコンロの蓋体開放状態説明図、図３は本実施の形態に係るガスコンロの蓋体移動過程説明図、図４は本実施の形態に係るガスコンロの昇降操作アーム揺動状態説明図、図５は本実施の形態に係るガスコンロバーナ部の上方揺動過程説明図、図６は本実施の形態に係るガスコンロの小ギヤ回転機構説明図、図７は本実施の形態に係るガスコンロの五徳部分解説明図並びに五徳カバー及び回転伝達軸の拡大底面図、図８は本実施の形態に係るガスコンロの支持片拡張状態説明図、図９は本実施の形態に係るガスコンロの五徳部最大拡張状態説明図、図１０は本実施の形態に係るガスコンロの加熱対象物載置状態説明図である。
【００２４】
前記各図に示すように、本実施の形態に係るガスコンロ１は、平坦な天面１１を有する略箱状の筐体１０と、この筐体１０内に配設されて燃焼用のガス導入量を使用者の操作に応じて調整制御する制御用管部２０と、この制御用管部２０に端部を接続され、前記ガスを空気と混合して燃焼させるバーナ部３０と、筐体１０内に揺動自在に配設されてバーナ部３０を動かすバーナ部昇降機構としての昇降操作アーム４０と、バーナ部３０の上部に配設され、天面１１上側で加熱対象物９０をバーナ部３０との間隔を保持しつつ支える五徳部５０と、前記バーナ部３０の露出する天面１１の開口孔１２を必要に応じて塞ぐ蓋体６０と、筐体１０内に配設されて所定の駆動手段からの入力を受け、前記蓋体６０を移動させて開口孔１２を開閉する蓋体操作機構７０とを備える構成である。
【００２５】
前記筐体１０は、平坦な天面１１にバーナ部３０の炎口部３２及び五徳部５０が出入りする開口孔１２を一バーナ部につき一つ穿設される点、並びに昇降操作アーム４０の一部操作部分が露出している点以外は公知のガスコンロ同様であり、詳細な説明を省略する。制御用管部２０も、バーナ部３０に対し一次空気を誘引しながらガスを送込むノズル部２１を有するなど、公知のガスコンロに設けられるものと同様の構成であり、詳細な説明を省略する。
【００２６】
前記バーナ部３０は、公知の外炎口形のガスコンロ用バーナであり、制御用管部２０のノズル部２１と接続される一端側の基部３１を筐体１０内部で所定の高さ位置に保持されつつ、この基部３１を中心として全体を揺動可能に支持される構成であり、他端側の着脱可能な炎口部３２をコンロ天面１１に穿設された開口孔１２位置で、天面１１より下側にある非使用状態位置と、天面１１より上側に露出して加熱対象物９０を加熱可能な使用状態位置との間で昇降可能とされる仕組みである。
【００２７】
このバーナ部３０の基部３１は、公知のガスコンロ用バーナ同様、ノズル部２１からガスを送込まれると共に、ノズル部２１からのガス導入に伴ってその周囲の孔３３から燃焼用の一次空気を導入可能となる仕組みである。このバーナ部基部３１とノズル部２１との接続は、バーナ部３０全体の揺動を許容する状態となっており、基部３１とノズル部２１とが一体に固定されていないものの、公知のガスコンロ用バーナ同様のガス及び空気のバーナ内導入機構を有しており、バーナ部３０の揺動を経ても基部３１からのガス漏れ等は生じない。さらに、バーナ部３０が非使用状態位置にある時はガスが制御用管部２０側からバーナ部３０へ向わないようにしており、誤操作に対する安全性を確保している。バーナ部３０の炎口部３２中央部は、公知のコンロ用バーナ同様、貫通孔が設けられており、この部分に五徳部５０の一部や過熱検知装置３５が挿入配設される。そして、バーナ部３０の下部には、昇降操作アーム４０と接触した際の摩擦抵抗を低減するためのローラ３４が配設され、このローラ３４が昇降操作アーム４０の一部に乗上げて昇降操作アーム４０の動きに合わせて上下動することで、このローラ３４と一体のバーナ部３０が揺動し、炎口部３２及び五徳部５０が共に上下動する仕組みである。
【００２８】
前記昇降操作アーム４０は、前記筐体１０に揺動自在に配設される略アーム状体であり、筐体１０外に一部露出する一端側に、使用者操作用の操作ハンドル４１を形成されると共に前記蓋体操作機構７０を連動させるための伝達ピン４２を突設される一方、筐体１０内側の他端部に傾斜配置の案内面４３と水平配置の保持面４４とを形成されてなる構成であり、駆動源となる使用者の操作ハンドル４１に対する入力操作で揺動して筐体１０内の他端部をスライド移動させ、案内面４３及び保持面４４とバーナ部３０におけるローラ３４との相対位置関係を変化させ、バーナ部３０を揺動させて炎口部３２及び五徳部５０を昇降させる仕組みである。また、この昇降操作アーム４０の他端部には、五徳部５０を動作させるための大ギヤ４５が形成されると共に、五徳部５０の下方まで突出する突出片４６が配設され、さらにアームと筐体１０底面との間に、筐体１０底面に対し転がり接触するローラ（図示を省略）が配設され、アーム他端部と筐体１０との摩擦による操作時の抵抗を低減して操作に要する力を抑えている。
【００２９】
昇降操作アーム４０は、蓋体６０が開口孔閉止位置にある状態に対応する初期位置から、操作ハンドル４１への入力を受けて蓋体６０を開口孔閉止位置に移行させ、且つ他端部の案内面４３がバーナ部３０のローラ３４位置に達するまで、バーナ部３０及び五徳部５０には一切接触せず、これらを静止状態に維持する。案内面４３がローラ３４位置に達してこれと接触すると、バーナ部３０を上下に動かして炎口部３２及び五徳部５０を昇降動作させられる状態となる。一方、水平な保持面４４上にローラ３４が載った状態では、ローラ３４の高さ位置が維持されることとなり、合わせて炎口部３２及び五徳部５０の上下位置も保持される。
【００３０】
この昇降操作アーム４０以外の機構は、バーナ部３０の側方には存在せず、また、バーナ部３０自体も上下に揺動するのみで筐体１０内においてさほどスペースを要しないことから、筐体１０内部における昇降操作アーム４０の存在する側と反対側となるバーナ部３０側方には十分なスペースが生じることとなり、この部分には魚焼用のグリル等をバーナ部３０に隣接させて配置することができ、ガスコンロ１としては二つのバーナ間にグリルを配置した従来のガステーブル型のレイアウトとすることも容易であり、ガスコンロ製品としての加熱方法のバリエーションを従来同様に維持できる。
【００３１】
前記五徳部５０は、加熱対象物支持用の爪として加熱対象物９０を直接支持するための複数の支持片５１と、各支持片５１一端部をそれぞれ揺動自在に取付けられる鍔部分の付いた略円筒体で形成され、前記バーナ部３０の炎口部３２中央の孔に略円筒部分を挿入されて配設される五徳基部５２と、この五徳基部５２上側に回転可能に配設される円形の五徳カバー５３と、この五徳カバー５３中心に一端部を連結固定され且つ五徳基部５２及び炎口部３２を貫通して回転可能に配設される中空の回転伝達軸５４と、バーナ部３０の炎口部３２下側に回転伝達軸５４の他端部と一体に回動可能とされて配設される小ギヤ５５とを備える構成である。この五徳部５０はバーナ部３０ごと揺動して炎口部３２と一体に昇降可能とされ、最も上昇した位置で五徳基部５２より上側の部分がコンロ天面１１より上側に達して各支持片５１を展開・拡張、並びに収容可能な状態となる仕組みである。
【００３２】
前記五徳基部５２は、円板状の前記鍔部分を前記バーナ部３０の炎口部３２上側に位置させて炎口部３２に対し回転しない状態で配設され、前記鍔部分上面の中心から所定径離れた円上で等間隔をなす複数箇所に、前記各支持片５１一端部をそれぞれ揺動自在に取付けられてなる構成である。
【００３３】
前記五徳カバー５３は、略円板状体の外周に起立する側壁部分を設けた形状とされ、前記側壁部分に前記支持片５１をそれぞれ通す複数の間隙部５３ａを等ピッチで配置されてなる構成であり、この五徳カバー５３と一体の回転伝達軸５４を五徳基部５２における略円筒部分中心の貫通孔に挿入配設されることで、五徳基部５２上の各支持片５１一端部を覆いつつ五徳基部５２に対し回転可能となっている。また、回転伝達軸５４及び前記五徳基部５２は、バーナ部３０に対し各々バネ（図示を省略）を介して支持されており、五徳カバー５３と五徳基部５２はそれぞれバーナ部３０に対し上方に付勢されつつ所定範囲上下動可能となっている。
【００３４】
この五徳カバー５３を設けていることで、その回転に伴う五徳カバー５３の間隙部５３ａと支持片５１揺動中心との位置関係変化に伴って前記各支持片５１が揺動し、開口孔１２より内側に支持片５１全体を集合させた収容状態から、支持片５１他端部を外方に移動させて開口孔１２より外側へ大きく張出させた拡張状態まで調整可能となる仕組みである。五徳カバー５３の各間隙部５３ａは、外周側からカバー中心に向う方向から斜めに傾けた向きに穿設された状態となっており（図７（Ｂ）参照）、各支持片５１のスムーズな揺動を可能にしつつ支持片５１拡張状態での間隙の大きさを必要最小限とすることができ、加熱使用時における異物のカバー内部への入り込みを防いでいる。この五徳カバー５３の間隙部５３ａ周囲部分は下方に突出しており、確実に支持片５１に当接して支持片５１を動かせる形状となっている。この間隙部５３ａ周囲部分は、支持片５１との密着度合をさらに高めるように、五徳カバー５３の他の部位より肉厚を増した形状としてもかまわない。
【００３５】
また、五徳カバー５３の中心には回転伝達軸５４の中空部分に連通する孔が穿設されており、この五徳カバー５３の孔と回転伝達軸５４の中空部分からなる五徳部５０中心の空隙部分には、過熱検知装置３５が挿入配置される構成である。この過熱検知装置３５は、五徳カバー５３から上側へ突出した定常状態から、五徳部５０に加熱対象物９０を載置すると下方へ押される分だけ下がって一部を五徳部５０内側へ没入させ、且つ加熱対象物９０を取去ると上に動いて元の状態に復帰するよう、五徳カバー５３及び回転伝達軸５４に対してバネで付勢支持され、確実に加熱対象物９０に当接可能となる仕組みとなっているが、この過熱検知装置３５は一般的なガスコンロでも用いられている公知の部品であり、詳細な説明を省略する。
【００３６】
前記小ギヤ５５は、バーナ部３０の炎口部３２側の下部に回動可能に支持され、回転伝達軸５４の他端部に対し一体回転可能且つ回転伝達軸５４の軸方向への所定範囲の相対移動を許容する状態で連結される構成である。バーナ部３０の上方への揺動で炎口部３２がコンロ天面１１より上側の最上位置に達した状態で、小ギヤ５５も昇降操作アーム４０の他端部に設けられる大ギヤ４５と噛合可能な位置に達し、昇降操作アーム４０の動きに伴う大ギヤ４５の横移動により大ギヤ４５と噛合い、大ギヤ４５移動量に対応して一体の回転伝達軸５４及び五徳カバー５３と共に回転する仕組みである。この小ギヤ５５は回転伝達軸５４の他端部に対し軸方向へ相対移動可能とされて配設されることで、五徳部５０をなす他の各部材が上下に動いた場合でも小ギヤ５５の位置はバーナ部３０と共にほとんど変化せず、大ギヤ４５との噛合いを確実に維持して回転を回転伝達軸５４側へ伝達可能となっている。
【００３７】
この他、回転伝達軸５４下端にはその軸延長方向へ延出する状態でストッパ部５６が取付けられており、通常状態では小ギヤ５５下面より上に位置しているものの、加熱対象物９０の載置等で五徳カバー５３及び回転伝達軸５４が押下げられると、小ギヤ５５より下側に現れ、昇降操作アーム４０の小ギヤ５５下方を通過する突出片４６に当接してこれを拘束可能となる仕組みである。
【００３８】
これら五徳部５０のうち、五徳カバー５３、支持片５１、五徳基部５２、及び回転伝達軸５４は、過熱検知装置３５及び炎口部３２と共に、バーナ部３０の他部分に対し一切工具等を用いることなく一体で上方に引抜いて取外し可能となっており、従来のガスコンロ同様、バーナ部３０における目詰り解消のための清掃作業など容易にメンテナンスが行える構造を維持している。
【００３９】
前記蓋体６０は、開口孔１２を塞ぐ大きさの略円板状体から一部を略アーム状に側方へ延出させた形状とされ、この延出部分端部を筐体１０に揺動自在に取付けられてなり、バーナ部３０の炎口部３２と五徳部５０が下降してコンロ天面１１より下側に位置している場合に、前記開口孔１２を塞ぐ位置と、開口孔１２を開放してコンロ天面１１下側にずれた位置との間で横方向移動可能且つ天面１１をなす天板の厚み分だけ上下動可能とされてなる構成である。
【００４０】
この蓋体６０は、開口孔１２を塞ぐ位置付近に達している際、天面１１下側に降りた状態の五徳部５０と過熱検知装置３５の上端部に蓋体５０下面がこれらを少し押下げつつ接する仕組みとなっており、それぞれバネで付勢支持されている五徳部５０と過熱検知装置３５が下側に存在していることで、これら五徳部５０と過熱検知装置３５の復帰しようとする力により蓋体６０は上側に押されており、蓋体６０がちょうど開口孔１２位置に達した際に確実に開口孔１２に嵌ることができる。こうして蓋体６０が開口孔１２を塞いだ状態で、コンロ天面１１が開口孔１２位置を含めて平坦面となる状態が得られる。この蓋体６０のスムーズな開口孔１２への出入りを実現するために、開口孔１２の口縁所定範囲及び蓋体６０外縁の一部は角部を除去した傾斜面とされて動作時の引っかかりを防いでいる。この他、筐体１０の開口孔１２近傍には孔閉止状態の蓋体６０を下側から支えて蓋体６０の意図しない落込みを防ぐ蓋体支持具１５が配設される。
【００４１】
前記蓋体操作機構７０は、昇降操作アーム４０から突出する伝達ピン４２を挿通される溝を設けられて前記筐体１０に揺動可能に取付けられる第一リンク部材７１と、前記蓋体６０の略アーム状延出部分と第一リンク部材７１とにそれぞれ互いに揺動可能となるように係合して蓋体６０と第一リンク部材７１とを連結する第二リンク部材７２とを備える構成である。これら第一リンク部材７１、第二リンク部材７２、及び蓋体６０の連結関係は、昇降操作アーム４０からの入力による第一リンク部材７１の動きを増幅して蓋体６０に開口孔閉止位置と開口孔開放位置との間を移動可能な十分な変位を与えられるものとなっている。
【００４２】
前記第一リンク部材７１には、筐体１０への取付部分側寄りに伝達ピン４２を挿通可能で且つ一端側が開放している略直線状の拘束溝７３が設けられ、昇降操作アーム４０の伝達ピン４２が拘束溝７３内を動く間、伝達ピン４２を介して昇降操作アーム４０から第一リンク部材７１に駆動力が加わって第一リンク部材７１が揺動し、第二リンク部材７２を介して蓋体６０を動かせる仕組みである。そして、拘束溝７３の開放端位置は、蓋体６０が開口孔１２開放位置に達した状態で、ちょうど昇降操作アーム４０の伝達ピン４２が拘束溝７３から外部に出る配置とされている。
【００４３】
一方、第一リンク部材７１の拘束溝７３から伝達ピン４２が外れると、伝達ピン４２から第一リンク部材７１が力を受けず昇降操作アーム４０と第一リンク部材７１が連動しない状態となる。第一リンク部材７１の拘束溝７３以外の箇所は、昇降操作アーム４０が有効動作範囲で自由に揺動した場合における伝達ピン４２の移動軌跡上に重なることはなく、昇降操作アーム４０を一切拘束しない。
【００４４】
すなわち、昇降操作アーム４０は、伝達ピン４２が第一リンク部材７１の拘束溝７３内に存在する、初期位置から一定の角度範囲に位置する間のみ、第一リンク部材７１に駆動力を入力し、蓋体６０を開口孔閉止位置と開口孔開放位置との間で移動させる。そして、伝達ピン４２が拘束溝７３から外れて第一リンク部材７１に駆動力を伝達しない状態では、蓋体６０を開口孔開放位置で略静止状態に維持することとなる。
【００４５】
なお、昇降操作アーム４０の伝達ピン４２が第一リンク部材７１の拘束溝７３内にあり、蓋体６０が開口孔閉止位置と開口孔開放位置との間で移動している間は、昇降操作アーム４０の案内面４３がバーナ部３０のローラ３４位置に達することはなく、バーナ部３０及び五徳部５０をほぼ静止状態に維持して蓋体６０との衝突を防いでいる。言換えると、昇降操作アーム４０操作時において炎口部３２と五徳部５０が動かない期間に、蓋体６０を開口孔１２開放位置に確実に到達させ、炎口部３２と五徳部５０を昇降操作アーム４０で実際に動かし始める際に問題が生じないようにしている。
【００４６】
次に、本実施形態に係るガスコンロにおける蓋体、バーナ部、及び五徳部の動作について説明する。あらかじめ、蓋体６０が開口孔閉止位置に存在する状態に対応する初期位置に昇降操作アーム４０があるものとする。まず、使用者が昇降操作アーム４０の操作ハンドル４１を初期位置から動かすと、蓋体６０が移動を開始し、開口孔１２口縁下側の傾斜に沿って天面１１をなす天板の下側に潜り込むように下がりながら横方向にスライドし、開口孔１２を開放していく。操作ハンドル４１を動かし続けると、蓋体６０が横に移動して開口孔１２を完全に開放した状態となる。蓋体６０が開口孔開放位置に達すると、昇降操作アーム４０の伝達ピン４２が拘束溝７３から外れ、操作ハンドル４１からの駆動力が蓋体操作機構７０の第一リンク部材７１に伝わらず昇降操作アーム４０が蓋体操作機構７０と独立に自由に動ける状態となる。この時、蓋体６０は蓋体操作機構７０に駆動力が加わらないため、開放位置での静止状態を維持する。
【００４７】
続けて操作ハンドル４１を動かすと、昇降操作アーム４０他端部がバーナ部３０に近付き、バーナ部３０のローラ３４と昇降操作アーム４０の案内面４３が接触する。そのまま昇降操作アーム４０を動かすと傾斜した案内面４３との接触によりローラ３４が上に進み、一体のバーナ部３０が上方に揺動して炎口部３２と五徳部５０も上に押上げられる状態となる。昇降操作アーム４０を動かすにつれて炎口部３２と五徳部５０の位置は上昇して、コンロ天面１１より上側に達する。炎口部３２と五徳部５０が使用高さ位置に到達した時点で、ローラ３４は昇降操作アーム４０の案内面４３から水平な保持面４４に載り移り（図４（Ｂ）参照）、ローラ３４高さは一定となり、同時に炎口部３２と五徳部５０の上昇も停止してその高さが維持される状態となる。
【００４８】
バーナ部３０の炎口部３２と五徳部５０の上昇が停止してからも操作ハンドル４１を動かし続けると、昇降操作アーム４０他端部の大ギヤ４５が、バーナ部３０の上方への揺動に伴い適切な高さに位置している小ギヤ５５と噛合いを開始し（図６（Ａ）参照）、大ギヤ４５の動きによって小ギヤ５５が回転駆動され、この小ギヤ５５と回転伝達軸５４を介して連動する五徳部５０の五徳カバー５３が回転する。五徳カバー５３が回転し、五徳カバー５３外周の各支持片５１を通す間隙部５３ａの位置が変化することに伴い、各支持片５１は各支点を中心に回転し始め、周囲に展開する状態となる（図８参照）。この時、各支持片５１は五徳基部５２がバネで上方へ付勢されていることで最も上に上った状態となっており、コンロ天面１１との間に所定の間隙を有して天面１１との接触等なくスムーズに動くことができる（図９（Ｂ）参照）。
【００４９】
操作ハンドル４１を動作完了位置まで動かすと、各支持片５１は五徳カバー５３の回転中心に対し略放射状に広がった最大拡張状態となって、加熱対象物９０を載置可能となる。支持片５１の動作方向と加熱対象物９０の荷重の加わる向きが異なっているため、支持片５１を拡張・収容させる五徳カバー５３の回転機構に無理な力が加わることはなく、耐久性に優れている。
【００５０】
この状態で鍋等の加熱対象物９０をバーナ部３０の炎口部３２を中心にして周囲に広がった状態の五徳部５０に載せると、まず炎口部３２上端の過熱検知装置３５が加熱対象物９０に当接し、加熱対象物９０の重さで押下げられて下がるが、過熱検知装置３５と五徳カバー５３間に介在するバネと、五徳カバー５３及び回転伝達軸５４とバーナ部３０間に介在するバネとの付勢力の差によって、過熱検知装置３５は五徳カバー５３を押下げることとなり、過熱検知装置３５は五徳カバー５３ごと下がり、加熱対象物９０と五徳カバー５３との間に隙間がある状態が維持される。過熱検知装置３５と五徳カバ５３ーが下がり続け、五徳カバー５３の間隙部５３ａ上側部分が支持片５１に当接すると（図１０（Ａ）参照）、五徳カバー５３はそれ以上五徳基部５２に対し下がらない状態となり、これ以降は加熱対象物９０に当接する過熱検知装置３５のみが五徳カバー５３に対して下降し、やがて加熱対象物９０下面が各支持片５１に当接する。
【００５１】
こうして加熱対象物９０下面が各支持片５１に当接してからは、小ギヤ５５を除く五徳部５０全体が押下げられる状態となり、最終的に各支持片５１の下部がコンロ天面１１上に接し、これより下方へは下がらない状態となって止る（図１０（Ｂ）参照）。こうして、各支持片５１上に支持された加熱対象物９０の重量が大きい場合でも、支持片５１がコンロ天面１１に当接して確実に静止状態で加熱対象物９０を支えることができ、安全性が高い。また、このように五徳部５０が下がった状態では、バーナ部３０の炎口部３２に五徳カバー５３の間隙部５３ａ周囲の突出部分が重なるが、この重なる部分は炎口部３２のちょうど炎口のない部位に一致するよう設定されており、火炎の加熱対象物９０への到達を妨げない。
【００５２】
さらに、この加熱対象物９０の載置に伴って五徳部５０が下がることで、回転伝達軸５４下端に一体に取付けられたストッパ部５６も下降して小ギヤ５５の下側に突出することとなり、このストッパ部５６が昇降操作アーム４０の突出片４６の移動経路上に位置して突出片４６を含む昇降操作アーム４０全体の動きを拘束する（図１０（Ｂ）参照）。こうして、加熱対象物９０を五徳部５０に載せている状況では昇降操作アーム４０を動かせず、五徳カバー５３を回転させて支持片５１を収容側に動かすことはできない状態となっており、使用者の昇降操作アーム４０への誤操作により加熱対象物９０を載せたまま五徳部５０を動かして加熱対象物９０が不安定且つ危険な状態となるのを確実に防止している。
【００５３】
こうして加熱対象物９０を載置後、加熱可能となるが、バーナ部３０の炎口部３２による加熱は、公知のガスコンロと同様であり、詳細な説明を省略する。この加熱時において、五徳カバー５３の間隙部５３ａ上側部分が支持片５１に当接して隙間のない状態となっているため、上方から五徳カバー５３内に煮こぼれ等に由来する異物が入り込むことはない。加熱終了後、加熱対象物９０を五徳部５０上から外すと、押下げられていた五徳部５０や過熱検知装置３５が元の位置に復帰し、バーナ部３０の炎口部３２及び五徳部５０を収容してもかまわない状態が得られる。この時、各支持片５１も、バネで上方へ付勢されている五徳基部５２と共に上に上がり、コンロ天面１１との間に所定の間隙を有する状態に戻る。また、五徳カバー５３や回転伝達軸５４が上に戻ることで、回転伝達軸５４下端のストッパ部５６も上昇して小ギヤ５５の下面から下に露出しない状態となり、昇降操作アーム４０の突出片４６拘束状態も解除され、昇降操作アーム４０を再び操作可能となる。
【００５４】
この状態から、使用者は、バーナ部３０の炎口部３２や五徳部５０に直接付着した煮こぼれ等に由来する汚れを適宜除去した後、昇降操作アーム４０の操作ハンドル４１を初期位置に向けて前記と逆向きに動かすと、昇降操作アーム４０端部の大ギヤ４５の動きに伴って小ギヤ５５が前記と逆向きに回転し、これと連動する五徳部５０の五徳カバー５３が回転して、五徳カバー５３外周の各支持片５１を通す間隙部５３ａの位置が変化することに伴い、各支持片５１は各支点を中心に回転し始め、展開位置から徐々に収容される状態となる。各支持片５１はコンロ天面１１との間に間隙を有していることから、この収容時においても天面１１との接触等なくスムーズに動く。
【００５５】
各支持片５１が完全に収容状態に移行すると、これと同時に、昇降操作アーム４０端部の大ギヤ４５が、炎口部３２下端の小ギヤ５５から離れて噛合いが終了し、五徳部５０が回転しなくなる。さらに操作ハンドル４１を動かし続けると、炎口部３２と五徳部５０の高さを維持していた昇降操作アーム４０の保持面４４とローラ３４との接触が終り、ローラ３４は保持面４４から案内面４３に移行し、ローラ３４は案内面４３の移動に伴って徐々に下がっていき、同時にローラ３４と一体のバーナ部３０も下方に揺動し、炎口部３２と五徳部５０も下降していく。
【００５６】
続けて操作ハンドル４１を動かすと、バーナ部３０の炎口部３２と五徳部５０がコンロ天面１１より下側に下がって最下端に達し、昇降操作アーム４０の案内面４３がバーナ部３０のローラ３４から離れて、炎口部３２及び五徳部５０は最下端位置から動かない状態となる。そのまま操作ハンドル４１を動かし続けると、昇降操作アーム４０の伝達ピン４２が第一リンク部材７１の拘束溝７３内に入り、昇降操作アーム４０に対する入力が蓋体操作機構７０の第一リンク部材７１にも伝わって昇降操作アーム４０と蓋体操作機構７０とが連動して動く状態となる。
【００５７】
この状態で操作ハンドル４１を初期位置に向けて動かし続けると、蓋体６０が移動を開始し、開口孔１２開放位置から横方向にスライドし、開口孔１２の下に位置する五徳部５０と過熱検知装置３５の各最上部に下面を当接させてこれらを少し押下げ、上方へ復帰しようとする五徳部５０と過熱検知装置３５から上向きの力を得ながら、開口孔１２を徐々に閉じていく。蓋体６０が開口孔１２位置に達すると、蓋体６０は五徳部５０と過熱検知装置３５の押上げにより開口孔１２に完全に嵌り込み、蓋体６０上面をコンロ天面１１と一致させた状態で開口孔１２を閉止する。こうして蓋体６０が開口孔閉止位置に達すると共に、昇降操作アーム４０は初期位置に戻り、同じ方向へはそれ以上動かない状態となる。この時、操作ハンドル４１により昇降操作アーム４０を動かさない限り、蓋体６０は蓋体操作機構７０が停止状態となることに伴い、開口孔閉止位置での静止状態を維持する。
【００５８】
このように、本実施の形態に係るガスコンロにおいては、バーナ部３０の炎口部３２と五徳部５０を一体に昇降可能とし、非使用時にはいずれもコンロ天面１１より下側に位置させる一方、使用時には天面１１上側まで上昇させた五徳部５０の支持片５１が周囲に拡張状態となって加熱対象物９０を載置可能となり、バーナ部３０の炎口部３２と五徳部５０を共に昇降させつつ天面１１に設ける開口孔１２を一つで済ませられることから、非使用時のコンロ天面１１の美観を優れたものにでき、清掃も行いやすいと共に、非使用時に五徳を別途取外す必要はなく、昇降動作なども五徳部５０をバーナ部３０と一体に取扱うことができ、使い勝手が非常に優れる。
【００５９】
なお、前記実施の形態に係るガスコンロにおいては、バーナ部昇降機構及び蓋体操作機構の駆動手段を使用者自身として手動操作で各機構の動作を実現しており、バーナ部昇降機構として手動操作可能な昇降操作アーム４０を配設する構成としているが、これに限らず、操作部と別に配置したモータ等の駆動手段を用いて各機構を動かすようにしてもかまわない。
【００６０】
また、前記実施の形態に係るガスコンロにおいては、バーナ部３０の炎口部３２より五徳基部５２、支持片５１及び五徳カバー５３が上側にある構成としているが、これに限らず、炎口部をバーナ部の他部分に対し回転させられる、すなわち、炎口部を回転させてもガス漏れ防止性能等の点が確保可能であるなら、炎口部を五徳部５０より上側に配置し、五徳カバー５３と共に回転させる構成とすることもでき、炎口部を加熱対象物９０直下に配置できることでさらに加熱効率を高められる。
【００６１】
また、前記実施の形態に係るガスコンロにおいては、五徳部５０の五徳基部５２に対し五徳カバー５３を相対回転させるために、回転については固定状態とした五徳基部５２に対して五徳カバー５３を回転させる構成としているが、これに限らず、五徳カバー５３側を固定とし、五徳基部５２を支持片５１と共に五徳カバー５３に対し回転させ、五徳カバー５３の各間隙部５３ａの五徳基部５２に対する相対位置変化を前記実施形態同様に得て、支持片５１を揺動させる構成とすることもできる。
【００６２】
また、前記実施の形態に係るガスコンロにおいては、五徳カバー５３を回転させ、五徳カバー５３外周の間隙部５３ａと支持片５１との位置関係変化により支持片５１を揺動させ、拡張状態と収容状態とを切替える構成としているが、これに限らず、図１１、１２に示すように、五徳カバー５３を略円板状とすると共に、五徳カバー５３と支持片５１にそれぞれ連結させるリンク部材５１ａを配設し、五徳カバー５３の回転に伴うリンク部材５１ａと支持片５１の相対位置関係変化によって支持片５１を揺動させ、支持片５１を拡張、収容させる構成とすることもできる。上方から見た支持片５１形状も直線状に限らず、図１２に示すように略円弧状などの曲線状に形成してもかまわない。
【００６３】
また、前記実施の形態に係るガスコンロにおいては、五徳カバー５３の中心から上方に突出する状態で過熱検知装置３５を配設する構成としているが、これに限らず、過熱検知装置を設けない構成とすることもでき、その場合、前記過熱検知装置３５と同様に加熱対象物９０の載置時には五徳カバー５３を押下げて加熱対象物９０と五徳カバー５３との間に隙間を確保する役割を果す突出部分が、バネで付勢支持されつつ五徳カバー５３から突出配置される構成とすることもできる。
【００６４】
また、前記実施の形態に係るガスコンロにおいては、バーナ部３０が非使用状態位置にある場合にはノズル部２１から基部３１側にガスが進入しないようにして誤操作の際の危険性に対処する構成としているが、この他、図１３に示すように、バーナ部３０に取付けたリンク部材３６を押込みタイプの点火スイッチ１３と連結し、バーナ部３０の非使用状態位置でリンク部材３６が点火スイッチ１３を押し込めないようにする位置関係（図１３（Ａ）参照）となる構成とすることもでき、バーナ部３０が非使用状態位置にある場合には点火スイッチ１３を操作できないことで、誤操作そのものをなくすことができ、安全性を高められる。
【００６５】
また、前記実施の形態に係るガスコンロにおいては、ストッパ部５６を回転伝達軸５４下端に取付ける構成としているが、これに限らず、ストッパ部を回転伝達軸５４と同様に加熱対象物９０の載置時に下降する過熱検知装置３５の下側に設け、必要な場合に小ギヤ５５より下側に突出させる構成とすることもできる。
【００６６】
また、前記実施の形態に係るガスコンロにおいては、支持片５１の最大拡張状態でストッパ部５６と昇降操作アーム４０の突出片４６が当接して昇降操作アーム４０が拘束され、支持片５１を誤って動かさないようにする構成としているが、これに限らず、突出片４６形状を一部変更して、ストッパ部５６が支持片５１の拡張・収容過程における途中の複数段階に対応する複数のポイントでストッパ部５６が下降するとそれぞれ突出片４６に嵌合可能とし、突出片４６すなわち昇降操作アーム４０が複数段階位置で拘束される構成とすることもでき、支持片５１が拡張又は収容の途中でも、加熱対象物９０を載せると昇降操作アーム４０を操作できなくすることができ、五徳部５０を所定の展開拡張状態で加熱対象物９０を載せて使用する場合にも対応して安全を確保できる。
【００６７】
また、前記実施の形態に係るガスコンロにおいては、コンロ天面１１の開口孔１２は円形とする構成としているが、これに限らず、バーナ部３０の炎口部３２及び五徳部５０を孔縁に接触させずに無理なく昇降させられる範囲で他の形状、例えば楕円形状や多角形状として穿設する構成とすることもでき、開口孔形状をコンロ全体のイメージに合わせて適宜選択して統一感のあるデザインにすることができ、製品としての美観を高められる。さらに、前記実施の形態に係るガスコンロにおいては、バーナ部３０の炎口部３２周囲部分と開口孔１２孔縁との間に隙間を空ける構成としているが、これに限らず、図１４に示すように、バーナ部３０の炎口部３２周囲部分を、下側からちょうど開口孔１２に嵌り込める形状とし、炎口部３２の使用状態位置への上昇に伴って開口孔１２を隙間なく塞ぐ構成とすることもでき、このバーナ部３０により開口孔１２が隙間なく塞がれた状態となることで、煮こぼれ等を拭取りやすい上、煮こぼれ等に由来する異物が天面１１下側に浸入するのを抑えられる。
【００６８】
また、前記実施の形態に係るガスコンロにおいては、支持片５１の最大拡張状態でストッパ部５６と昇降操作アーム４０の突出片４６が当接して昇降操作アーム４０が拘束され、支持片５１を誤って動かさないようにする構成としているが、これに限らず、加熱対象物９０の載置により下降する五徳カバー５３又は回転伝達軸５４を五徳基部５２に嵌合させ、五徳カバー５３と五徳基部５２とを互いに回転しない状態として、支持片５１の無用な動きを抑える、ストッパ部５６と突出片４６の組合わせの代りとする構成とすることもでき、前記同様加熱対象物９０を載せた状態の支持片５１を確実に固定して安全を確保できる。
【００６９】
さらに、前記実施の形態に係るガスコンロにおいて、バーナ部３０はその下部に昇降操作アーム４０の案内面４３及び保持面４４と接触した際の摩擦抵抗を低減するためのローラ３４を備える構成としているが、これに加えて、バーナ部３０が揺動する際に昇降操作アーム４０から上向きの力と共に受ける横向きの力に対し、バーナ部３０の炎口部３２側における昇降操作アーム４０のある向きとは反対の側方にローラを取付け、このローラを筐体１０内に起立している所定の垂直面に沿って略上下に転動可能として、このローラによりバーナ部３０の側方への動きを抑える一方でバーナ部３０の上下揺動をスムーズに案内させる構成とすることもでき、昇降操作アーム４０の操作に伴うバーナ部３０の上下揺動に際し、基部３１側の揺動支持部分に負担がかかるのを防ぐことができ、機構の耐久性を高められる。
【図面の簡単な説明】
【００７０】
【図１】本発明の一実施の形態に係るガスコンロの要部平面図である。
【図２】本発明の一実施の形態に係るガスコンロの蓋体開放状態説明図である。
【図３】本発明の一実施の形態に係るガスコンロの蓋体移動過程説明図である。
【図４】本発明の一実施の形態に係るガスコンロの昇降操作アーム揺動状態説明図である。
【図５】本発明の一実施の形態に係るガスコンロバーナ部の上方揺動過程説明図である。
【図６】本発明の一実施の形態に係るガスコンロの小ギヤ回転機構説明図である。
【図７】本発明の一実施の形態に係るガスコンロの五徳部分解説明図並びに五徳カバー及び回転伝達軸の拡大底面図である。
【図８】本発明の一実施の形態に係るガスコンロの支持片拡張状態説明図である。
【図９】本発明の一実施の形態に係るガスコンロの五徳部最大拡張状態説明図である。
【図１０】本発明の一実施の形態に係るガスコンロの加熱対象物載置状態説明図である。
【図１１】本発明の他の実施形態に係るガスコンロにおける五徳部の支持片拡張状態説明図である。
【図１２】本発明の他の実施形態に係るガスコンロにおける別の五徳部の支持片拡張状態説明図である。
【図１３】本発明の他の実施形態に係るガスコンロにおける点火スイッチの誤操作防止機構動作説明図である。
【図１４】本発明の他の実施形態に係るガスコンロにおけるバーナ部の非使用状態位置での側面図及び使用状態位置での平面図である。
【符号の説明】
【００７１】
１        ガスコンロ
１０      筐体
１１      天面
１２      開口孔
１３      点火スイッチ
１５      蓋体支持具
２０      制御用管部
２１      ノズル部
３０      バーナ部
３１      基部
３２      炎口部
３３      孔
３４      ローラ
３５      過熱検知装置
３６      リンク部材
４０      昇降操作アーム
４１      操作ハンドル
４２      伝達ピン
４３      案内面
４４      保持面
４５      大ギヤ
４６      突出片
５０      五徳部
５１      支持片
５１ａ    リンク部材
５２      五徳基部
５３      五徳カバー
５３ａ    間隙部
５４      回転伝達軸
５５      小ギヤ
５６      ストッパ部
６０      蓋体
７０      蓋体操作機構
７１      第一リンク部材
７２      第二リンク部材
７３      拘束溝
９０      加熱対象物
【図１】
2007263378.tif 000003
【図２】
2007263378.tif 000004
【図３】
2007263378.tif 000005
【図４】
2007263378.tif 000006
【図５】
2007263378.tif 000007
【図６】
2007263378.tif 000008
【図７】
2007263378.tif 000009
【図８】
2007263378.tif 000010
【図９】
2007263378.tif 000011
【図１０】
2007263378.tif 000012
【図１１】
2007263378.tif 000013
【図１２】
2007263378.tif 000014
【図１３】
2007263378.tif 000015
【図１４】
2007263378.tif 000016